(57)【要約】【課題】  フレキシブル配線板と他の配線板もしくは各電子部品との接合部分に剥離が生じないようにすることができるフレキシブル配線板を用いたプリント配線板の接続構造を提供すること。【解決手段】  配線３の端部に配置された接続端子３aと接続端子３ａから配線３の引出方向へ離れた位置に配設された固定端子４とを有するフレキシブル配線板１と、接続端子３ａに接続される接続ランド７ａと固定端子４に接続される固定ランド８とを有するプリント配線板６とを接続するにあたって、固定端子４の上面から前記固定ランド８の上面にかけて第１接合材９ｂを配置する。【選択図】      図１
2007012934.tif 000002
【特許請求の範囲】
【請求項１】
配線の端部に配置された接続端子と前記接続端子から前記配線の引出方向へ離れた位置に配設された固定端子とを有するフレキシブル配線板と、
前記接続端子に接続される接続ランドと前記固定端子に接続される固定ランドとを有するプリント配線板とを接続するフレキシブル配線板を用いたプリント配線板の接続構造であって、
前記固定端子の上面から前記固定ランドの上面にかけて第１接合材が配置されているフレキシブル配線板を用いたプリント配線板の接続構造。
【請求項２】
前記フレキシブル配線板と前記プリント配線板との間に第２接合材と配設している請求項１に記載のフレキシブル配線板を用いたプリント配線板の接続構造。
【請求項３】
前記固定端子がフレキシブル配線板の幅方向の端縁に配設され、前記固定端子の端縁側が凹状に切欠かれている請求項１または２に記載のフレキシブル配線板を用いたプリント配線板の接続構造。
【請求項４】
前記第１接合材と前記第２接合材とが同じ材質の接合材である請求項１または３に記載のフレキシブル配線板を用いたプリント配線板の接続構造。
【発明の詳細な説明】
【技術分野】
【０００１】
本発明は、フレキシブル配線板を用いたプリント配線板の接続構造に係り、特に、電子部品とプリント配線板とをフレキシブル配線板を用いて接続している電子機器に好適に用いられるフレキシブル配線板を用いたプリント配線板の接続構造に関する。
【背景技術】
【０００２】
一般的に、液晶ディスプレイやプラズマディスプレイパネル（ＰＤＰ）、ＣＤプレイヤー、ハードディスクドライブ（ＨＤＤ）、折り畳み式携帯電話機などの電子機器は、プリント配線板を備えている。このプリント配線板は、主に２種類に分けられる。その１つは、半導体部品の接続を容易にする硬質の絶縁基板に高密度の配線を成形したリジット配線板であり、他の１つは、可撓性に優れた軟質の絶縁基板に高密度の配線を成形したフレキシブル配線板である。
【０００３】
一方のフレキシブル配線板は、他方のリジッド配線板とは異なり、薄くて自由に折り曲げて使うことができるので、折り畳み式携帯電話機のヒンジ部などの可動式電子機器の回路や各電子部品間において高密度の配線に係る接続が必要な回路に好適に用いられている。また、フレキシブル配線板は、リジッド配線板と同程度の配線密度を確保しつつ、軽量化および薄型化を図ることもできる。よって、フレキシブル配線板は、電子部品とリジット配線板との接続用配線板などとして多用されている。
【０００４】
以下、図５および図６を用いて、従来のフレキシブル配線板１０４を用いて行なう画像表示装置１０１の画像表示パネル（電子部品）１０２とリジット配線板１０３との接続の様子を説明する。ここで、図５は、画像表示パネル１０２とリジット配線板１０３とを接続する従来のフレキシブル配線板１０４の側面図を示している。また、図６は、従来のフレキシブル配線板１０４および画像表示パネル１０２（もしくはリジット配線板１０３）の平面図を示している。なお、図６（ａ）はフレキシブル配線板１０４と画像表示パネル１０２（もしくはリジット配線板１０３）との接合前の状態を示しており、図６（ｂ）はフレキシブル配線板１０４と画像表示パネル１０２（もしくはリジット配線板１０３）との接合後の状態を示している。
【０００５】
図５に示すように、従来、液晶ディスプレイなどの画像表示装置１０１は、画像を表示する液晶表示パネルなどの画像表示パネル１０２と、画像表示パネル１０２を駆動するドライバＩＣ１０６と、画像表示パネル１０２を制御するコントロールＩＣ１０３ａを有するリジット配線板１０３と、画像表示パネル１０２とリジット配線板１０３とを接続するフレキシブル配線板１０４とを備えている。
【０００６】
ここで、図６（ａ）に示すように、フレキシブル配線板１０４は、絶縁性のベースフィルム１１０上に配線１１１を作成し、その上に絶縁性のカバーフィルム１１２を被せて形成されている。また、フレキシブル配線板１０４に接続される画像表示パネル１０２およびリジット配線板１０３には、配線１１１の端部に形成された接続端子１１１ａに接続される接続ランド１１３が透明基板１０２ｂおよび硬質の配線基板１０３ｂ上にそれぞれ形成されている。そして、図５および図６（ｂ）に示すように、フレキシブル配線板１０４は、Ｕ字状（図５を参照）やＬ字状（図示せず）に湾曲しながら、はんだ（図５を参照）などの接合材１０５を流動させて、画像表示パネル１０２およびリジット配線板１０３の接続ランド１１３に接合されている。
【０００７】
【特許文献１】特開２００３−２４３７７８号公報
【発明の開示】
【発明が解決しようとする課題】
【０００８】
しかしながら、図７に示すように、外力Ｐなどの影響によってフレキシブル配線板１０４の湾曲部１０４ｄが隙間Ｓのある方向に変形すると、フレキシブル配線板１０４と画像表示パネル１０２もしくはリジット配線板１０３との接合部分１０４ａ、１０４ｂに応力集中が生じてしまうので、当該接合部分１０４ａ、１０４ｂが剥離してしまうという問題があった。
【０００９】
また、フレキシブル配線板１０４は、画像表示パネル１０２もしくはリジット配線板１０３と接続する接続端子１１１ａの上方から接合材１０５を流動させて接合されているので、フレキシブル配線板１０４の下方側１０４ｃ（フレキシブル配線板１０４と画像表示パネル１０２もしくはリジット配線板１０３との接合面）に回り込まず、当該接合部分１０４ａ、１０４ｂが剥離しやすいという問題点があった。
【００１０】
前述した各接合部分１０４ａ、１０４ｂに界面剥離が生じると、電気的接続が破壊されて、画像表示パネル１０２の一部分もしくは全部を制御することができなくなるので、フレキシブル配線板１０４が配設された画像表示装置１０１などの電子機器の歩留まりが低くなる。
【００１１】
そこで、本発明はこれらの点に鑑みてなされたものであり、フレキシブル配線板と他の配線板もしくは各電子部品との各接合部分において、その接合力をより強固なものにすることができるフレキシブル配線板を用いたプリント配線板の接続構造を提供することを目的としている。
【課題を解決するための手段】
【００１２】
前述した目的を達成するため、本発明のフレキシブル配線板を用いたプリント配線板の接続構造は、その第１の態様として、配線の端部に配置された接続端子と前記接続端子から前記配線の引出方向へ離れた位置に配設された固定端子とを有するフレキシブル配線板と、前記接続端子に接続される接続ランドと前記固定端子に接続される固定ランドとを有するプリント配線板とを接続するフレキシブル配線板を用いたプリント配線板の接続構造であって、前記固定端子の上面から前記固定ランドの上面にかけて第１接合材が配置されていることを特徴としている。ここで、前述したプリント配線板は、いわゆるフレキシブル配線板やリジット配線板の他に、液晶ディスプレイにおいて配線が形成された液晶パネルの透明基板などの配線が形成された電子部品の配線板なども含むものである。
【００１３】
また、本発明の第２の態様は、前記フレキシブル配線板と前記プリント配線板との間に第２接合材を配設していることを特徴としている。さらに本発明の第３の態様は、前記固定端子がフレキシブル配線板の幅方向の端縁に配設され、前記固定端子の端縁側が凹状に切欠かれていることを特徴としている。そして、本発明の第４の態様は、前記第１接合材と第２接合材とが同じ材質の接合材であることを特徴としている。
【発明の効果】
【００１４】
本発明のフレキシブル配線板を用いたプリント配線板の接続構造によって、フレキシブル配線板の変形によって生じる応力を分散することができるとともに、少なくとも電気的接続の役目を果たす接続端子の接合部分の接合力を強固なものにすることができるので、フレキシブル配線板を有する電子機器の歩留まりが向上するという効果を奏する。
【発明を実施するための最良の形態】
【００１５】
以下、図１から図３を用いて、本発明に係るフレキシブル配線板１およびフレキシブル配線板を用いたプリント配線板の接続構造１１の一実施形態を説明する。ここで、図１は、本実施形態のフレキシブル配線板を用いたプリント配線板の接続構造を示している。なお、図１（ａ）はフレキシブル配線板１とプリント配線板６との接合前の状態を示しており、図１（ｂ）はフレキシブル配線板１とプリント配線板６との接合後の状態を示している。また、図２は図１（ｂ）のＡ−Ａ断面図を示しており、図３は図１（ｂ）のＢ−Ｂ断面図を示している。
【００１６】
図１（ａ）に示すように、本実施形態のフレキシブル配線板１は、ポリイミドなどのベースフィルム２と、ベースフィルム２上に形成された導電性の配線３と、ベースフィルム２上の短手方向ＳＤの各側縁部に形成された固定端子４と、ベースフィルム２および配線３（接続端子３ａおよび固定端子４の一部分または全部を除く）上に形成されているポリイミドなどのカバーフィルム５とを有している。ここで、この配線３の端部には接続端子３ａが露出して形成されている。また、固定端子４は、図２に示すように、配線３の形成面（ベースフィルム２の表面）と同一面上に一部を露出して形成されており、図１（ａ）に示すように、接続端子３ａからフレキシブル配線板１の長手方向ＬＤへ離れた位置、すなわち接続端子３ａから配線３の引出方向へ離れた位置に形成されている。そして、これらの固定端子４は、図１（ａ）に示すように、フレキシブル配線板１の幅方向の両端縁に配線３の形成面（ベースフィルム２上）と平行な面において端縁側が切り欠き状（凹状）に形成された凹部４ａを有している。
【００１７】
また、本実施形態のフレキシブル配線板を用いたプリント配線板の接続構造１１は、図１（ａ）および（ｂ）に示すように、前述したフレキシブル配線板１とプリント配線板６とを接合して形成されている。このプリント配線板６は、図１（ａ）に示すように、絶縁性の配線基板１０と、配線基板１０に形成された配線７とを有している。また、この配線７の端部には接続端子３ａに接合される接続ランド７ａが形成されており、接続ランド７ａからフレキシブル配線板１の長手方向ＬＤへ離れた位置には固定端子４に接合される固定ランド８が形成されている。
【００１８】
前述した接続端子３ａおよび接続ランド７ａ、並びに固定端子４および固定ランド８を接合する接合材９は、第２接合材９ａと第１接合材９ｂによって形成されている。第２接合材９ａは、接続端子３ａと接続ランド７ａとの間、並びに固定端子４と固定ランド８との間に介在して接合するものであり、はんだや異方性導電フィルムなどの導電性接合材を用いている。また、第１接合材９ｂは、図１（ｂ）、図２および図３に示すように、第２接合材９ａの接合後に、接続端子３ａ並びに固定端子４の上方から接続ランド７ａ並びに固定ランド８へ流動させて接合するものであり、はんだなどの流動性に富む導電性接合材を用いている。
【００１９】
すなわち、第１接合材９ｂは、固定ランド８の上面から固定端子３ａの上面にかけて配設されることにより、強固な接続固定状態を確保することができる。特に、第１接合材９ｂと第２接合材９ａとを同じ材質、例えばはんだ等の溶融金属にすることで第１接合材９ｂの下地との濡れ性が向上し、接合をさらに強固にすることができる。
【００２０】
なお、前述したプリント配線板６は、いわゆるリジット配線板やフレキシブル配線板（本実施形態のフレキシブル配線板１の形状と異なるものである）などの他に、液晶ディスプレイの液晶表示パネルにおける配線が形成された透明基板（図５を参照）などの配線が形成された電子部品の配線板なども含むものである。
【００２１】
つぎに、図１から図３を用いて、本実施形態のフレキシブル配線板１およびフレキシブル配線板を用いたプリント配線板の接続構造１１の作用を説明する。
【００２２】
本実施形態のフレキシブル配線板１は、接続端子３ａだけでなく固定端子４も用いてプリント配線板６に接合されているので、フレキシブル配線板１の変形によって生じる応力を接続端子３ａと接続ランド７ａとの接合部分３ｔおよび固定端子４と固定ランド８との接合部分４ｔとに分散することができる。
【００２３】
また、フレキシブル配線板１の従来例と同様の外力Ｐによる変形は固定端子４から接続端子３ａへ向かう順（たとえば、従来例を示す図７において説明すると、同図の右から左へ向かう順）に生じ、その変形量に応じて接続端子３ａと接続ランド７ａとの接合部分３ｔおよび固定端子４と固定ランド８との接合部分４ｔに生じる応力が決定されるので、外力Ｐの作用する部分から遠い接続端子３ａと接続ランド７ａとの接合部分３ｔには、外力Ｐの作用する部分に近い固定端子４と固定ランド８との接合部分４ｔよりも小さな応力が生じるようになっている。これによって、接続端子３ａと接続ランド７ａとの接合部分３ｔが剥離することを防止することができる。
【００２４】
さらに、本実施形態のフレキシブル配線板１は、固定端子４に凹部４ａを有しているので、凹部４ａを有していない固定端子（図示せず）よりも、固定端子４の形成面と平行な方向ＨＤの接合強さを強固にすることができるようになっている。これは、図３に示すように、第１接合材９ｂが、固定端子４の上方から凹部４ａを通って下方の固定ランド８に流動することによって、縦断面略横Ｈ状に形成されるからである。第１接合材９ｂが断面略横Ｈ状に形成されると、図２および図３に示すように、第１接合材９ｂにおける凹部４ａに流動した部分９ｃは、フレキシブル配線板１上の配線３の形成面と平行な方向（図２および図３においては左右方向）ＨＤに生じる応力に対して、固定端子４の凹部４ａに引っ掛かりながら抵抗力を発揮することができる。これによって、固定端子４と固定ランド８との接合部分４ｔは、フレキシブル配線板１上の配線３の形成面に対する法線方向ＰＤ（図２および図３においては上下方向）に生じる応力だけでなく、平行方向ＨＤに生じる応力に対しても強固な接合強さを発揮することができる。つまり、固定端子４が凹部４ａを有していることによって、第１接合材９ｂは、固定端子４の形成面に対する法線方向ＰＤおよび平行方向ＨＤの動きを止める釘のような作用を発揮することができる。
【００２５】
そして、この固定端子４および接続端子３ａは、図２および図３に示すように、当該固定端子４および接続端子３ａの下方を固定ランド８および接続ランド７ａに接合する第２接合材９ａと、当該固定端子４および接続端子３ａの上方から固定ランド８および接続ランド７ａに接合する第１接合材９ｂとによって形成される接合材９を用いて接合される接続構造になっている。これによって、接続端子３ａおよび固定端子４の上方のみ（第１接合材９ｂのみ）から接続端子３ａおよび固定端子４をプリント配線板６上の接続ランド７ａおよび固定ランド８に接合するよりも強固な接合強さを発揮することができる。
【００２６】
すなわち、本実施形態のフレキシブル配線板１およびフレキシブル配線板を用いたプリント配線板の接続構造１１によって、フレキシブル配線板１の変形によって生じる応力を分散することができるとともに、接続端子３ａと接続ランド７ａとの接合部分３ｔおよび固定端子４と固定ランド８との接合部分４ｔの接合力を強固なものにすることができるので、フレキシブル配線板１を有する電子機器の歩留まりが向上するという効果を奏する。
【００２７】
なお、本発明は、前述した実施の形態に限定されるものではなく、必要に応じて種々の変更が可能である。たとえば、図４に示すように、本発明のフレキシブル配線板１においては、他の実施形態として、フレキシブル配線板１の各側縁部において配線３の引出方向に離して固定端子４が２個以上形成されていたり、前述した実施形態の凹部４ａの代わりにそれらの固定端子４が配線３の形成面（ベースフィルム２上）と平行な方向へ凸状に形成された凸部４ｂを有していても良い。また、固定端子４は、接続端子３ａを有する配線３のように、配線４ｃを有して形成されていても良い。この場合、固定ランド８に接続される別個の配線８ａを配線基板１０上に設けておく。さらに、他の実施形態として、この固定端子４は、フレキシブル配線板１上の短手方向ＳＤの中央付近に形成されていても良い。この場合、下方のプリント配線板６に第１接合材９ｂを流動させるための穴部４ｄを有して形成されていることが望ましい。
【図面の簡単な説明】
【００２８】
【図１】フレキシブル配線板を用いたプリント配線板の接続構造の一実施形態を示す平面図；（ａ）はフレキシブル配線板とプリント配線板との接合前の状態を示しており、（ｂ）はフレキシブル配線板とプリント配線板との接合後の状態を示している。
【図２】図１（ｂ）のＡ−Ａ断面図
【図３】図１（ｂ）のＢ−Ｂ断面図
【図４】本発明に係るフレキシブル配線板の他の実施形態を示す平面図
【図５】従来のフレキシブル配線板を用いて画像表示パネル（電子部品）とリジット配線板とを接続する様子を示す側面図
【図６】従来のフレキシブル配線板およびリジット配線板を示す平面図
【図７】従来のフレキシブル配線板が変形して各接合部分が剥離した様子を示す側面図
【符号の説明】
【００２９】
１  フレキシブル配線板
２  ベースフィルム
３  （フレキシブル配線板の）配線
３ａ  接続端子
４  固定端子
４ａ  凹部
５  カバーフィルム
６  プリント配線板
７  （配線板の）配線
７ａ  接続ランド
８  固定ランド
９  接合材
９ａ  第２接合材
９ｂ  第１接合材
１０  配線基板
１１  フレキシブル配線板を用いたプリント配線板の接続構造
【図１】
2007012934.tif 000003
【図２】
2007012934.tif 000004
【図３】
2007012934.tif 000005
【図４】
2007012934.tif 000006
【図５】
2007012934.tif 000007
【図６】
2007012934.tif 000008
【図７】
2007012934.tif 000009